(57)【要約】【課題】踏み台を用いた玄関と土間の間の昇り降りの安全性を向上させることができ、踏み台の高さの調整にも追従することができる踏み台の固定金具を提供する。【解決手段】上下に長い帯板状の金属板を用い、上端を玄関の框に固定する框側金具３２と、踏み台の踏み板に固定する踏み台側金具３３の組み合わせからなり、踏み台側金具３３が、框側金具３２に対して着脱でき、かつ、前後に抜け止め状に結合した状態で上下にスライド可能に形成されている。【選択図】図６
2005220740.tif 000002
【特許請求の範囲】
【請求項１】
上下に長い帯板状の金属板を用いて形成され、上端を玄関の框に固定する框側金具と、踏み台の踏み板に固定する踏み台側金具の組み合わせからなり、踏み台側金具が、框側金具に対して着脱でき、前後に抜け止め状に結合した状態で上下にスライド可能に形成されている踏み台の固定金具。
【発明の詳細な説明】
【技術分野】
【０００１】
この発明は、玄関の土間に設置し、玄関と土間の段差を階段状にすることで玄関への昇り降りが安全に行えるようにする踏み台を、玄関の框に対して固定する踏み台の固定金具に関する。
【背景技術】
【０００２】
例えば、一般的な日本家屋は、玄関と土間に大きな段差があり、特に、高齢者や子供においては、玄関への昇り降りがこの段差によって体力を必要とするだけでなく、困難や危険を伴うものとなる。
【０００３】
このような玄関と土間の段差によって生じる問題を解消するため、玄関の土間に踏み台を設置し、玄関と土間の段差を階段状にすることで玄関への昇り降りが体力を要することなく安全に行えるようにしている。
【０００４】
玄関の土間に設置する踏み台１は、図７のように、所定の平面的な大きさを有する矩形状踏み板２の下面四隅に支持脚３を設けたものであり、この踏み台１を土間に設置すれば踏み板２が玄関と土間の間に位置して段差を階段状にし、踏み台１の踏み板２を介して玄関への昇り降りを行うものである。
【０００５】
ところで、玄関と土間の段差は建物によって異なると共に、使用する人の好みもあって、踏み台１は踏み板２の高さ位置を調整することができるようにする必要がある。
【０００６】
このため、図７に示したように、踏み板２の下面四隅に取り付けた支持脚３の下端に、ねじ式の接地部材４を支持脚３のねじ孔に螺合し、支持脚３の下端と接地部材４の間に筒状の調整スペーサ５を介在させ、この調整スペーサ５の長短の選択や数の選択により、踏み台１の踏み板２の高さを調節するようにした構造や、図示省略したが、支持脚３の下端に短いねじ式の接地部材をねじ込み、この接地部材を回転させて高さ調整を行うことができる踏み台１は既に提案されている。
【発明の開示】
【発明が解決しようとする課題】
【０００７】
ところで、従来上記のような踏み台は、土間に対して単に設置することによって使用に供されていたため、偏った荷重に対して安定性を欠き、踏み台を介して玄関と土間の間を昇り降りするとき、必ずしも踏み台の中心部に体重をかけるというものでないため、踏み台が倒れて怪我をするという危険性がある。
【０００８】
そこで、この発明の課題は、踏み台を玄関の框に固定化することによって倒れることのないようにし、踏み台を用いた玄関と土間の間の昇り降りの安全性を向上させることができると共に、踏み台の高さの調整にも追従することができる踏み台の固定金具を提供することにある。
【課題を解決するための手段】
【０００９】
上記のような課題を解決するため、この発明は、上下に長い帯板状の金属板を用いて形成され、上端を玄関の框に固定する框側金具と、踏み台の踏み板に固定する踏み台側金具の組み合わせからなり、踏み台側金具が、框側金具に対して着脱でき、前後に抜け止め状に結合した状態で上下にスライド可能に形成されている構成を採用したものである。
【００１０】
ここで、框側金具を形成する帯板状の金属板は、上端が横長部分となって下方に延びるＴ字形の孔が設けられ、金属板は上部の途中が面方向に一段屈曲し、その上端に框へ固定する釘の打ち込み孔が設けられ、また、踏み台側金具は、踏み板の後端面に釘の打ち込みで固定する固定板の上端に、後方に向けて屈曲する平面Ｔ字形の係止片を設けて形成され、この係止片を框側金具のＴ字形の孔に上端の横長部分から挿入して下方にスライドさせることにより、踏み台側金具と框側金具は前後に抜け止め状に結合される。
【発明の効果】
【００１１】
以上のように、この発明によると、土間に設置した踏み台を玄関の框に固定化することによって倒れることのないようにし、踏み台を用いた玄関と土間の間の昇り降りの安全性を向上させることができる。
【００１２】
また、土間に設置した踏み台を、上下に位置が変化可能な框側金具と踏み台側金具で玄関の框に固定するので、踏み台を持ち上げて框側金具から踏み台側金具を抜き取れば、踏み台を玄関の框から取り外すことができ、踏み台の高さ調整作業に支障を与えないと共に、框から取り外せば土間を掃除するような場合に邪魔にならないようにすることができる。
【発明を実施するための最良の形態】
【００１３】
以下、この発明の実施の形態を 図１乃至図６の図示例に基づいて説明する。
【００１４】
図１と図２のように、踏み台１１は、人が載ることのできる所定の平面的な大きさと板厚を有する矩形状の踏み板１２の下面で四隅の位置に、高さの調節が可能な支持脚１３を固定配置し、踏み板１２の前部下面で両側前部に位置する前部支持脚１３ａの間に、固定前面パネル１４と可動前面パネル１５を張設し、踏み板１２の下面で両側後部の後部支持脚１３ｂ間及び前後の支持脚１３ａと１３ｂ間に縁板１６が固定され、各支持脚１３は内側コーナ位置と踏み板１２の間に設けた三角形の補強ブラケット１７で補強されている。
【００１５】
上記したこれらの各構成部材は、木材を用いて形成され、その組み立ては釘やビスを用いて各構成部材を結合することにより行われ、上記踏み板１２は、上面に両側方向の滑り止め用の溝１８が複数形成され、この上面に滑り止め用の塗装が施されている。
【００１６】
上記した各支持脚１３は、図３乃至図５のように、下半部が筒状で内部が縦孔１９となり、踏み板１２の下面に垂直に固定した上部脚体２０と、上記上部脚体２０の下半部の縦孔１９内に納まることができ、この上部脚体２０の下端部から出没自在となる円軸状の下部脚体２１と、上記下部脚体２１を上下に貫通し、上部脚体２０側に設けたねじ孔２２に螺合した高さ調整ねじ２３とで無段階の高さ調節可能に形成されている。
【００１７】
上記上部脚体２０は下部脚体２１よりも長尺とし、上部脚体２０の下半部の縦孔１９を下部脚体２１の全長が納まる程度の上下長さとすることにより、各支持脚１３の上下長さの調整範囲を大きく確保することができることになる。
【００１８】
上記上部脚体２０の軸心には、筒状の埋め込みねじボス２４が固定され、このねじボス２４の内周に形成したねじ孔２２に高さ調整ねじ２３がねじ込まれていると共に、下部脚体２１の軸心を上下に貫通する高さ調整ねじ２３は、その頭部２５が下部脚体２１の下端に位置し、この頭部２５に設けた工具係合溝にドライバーを係合させて高さ調整ねじ２３を回転させることにより、上部脚体２０に対して下部脚体２１の位置を上下に無段階に調整することができ、高さ調整ねじ２３の下端頭部には、ゴム等の弾性材料からなる接地キャップ２６が着脱可能に取り付けてある。
【００１９】
上記固定前面パネル１４は、踏み板１２の前部側で両側に位置する前部支持脚１３ａの間に、両端を上部脚体２０に固定し、上端面を踏み板１２の下面に固定して張設され、また、可動前面パネル１５は、下部脚体２１の間に、両端をこの下部脚体２１に固定して張設され、固定前面パネル１４の背面側でこの下部脚体２１と一体に上下動するようになっている。
【００２０】
図３（ｃ）と図４のように、上記両側の前部支持脚１３ａは、上部脚体２０に、両側前部支持脚１３ａの互いに対向する側で固定前面パネル１４よりも後方の位置に、下端で開放する上下方向の切れ目２７が設けられ、下部脚体２１間に張設した可動前面パネル１５の端部がこの切れ目２７内に上下動可能に収まり、上記固定前面パネル１４と可動前面パネル１５は、下部脚体２１が最も下降位置にあるときでも、前後の重なり部分を確保するように設けられている。
【００２１】
上記踏み台１１を玄関の土間に配置したとき、この踏み台１１が移動することのないよう、玄関Ａの框Ｂにこの踏み台１１を固定するための複数個の固定金具３１が用いられている。
【００２２】
この固定金具３１は、玄関Ａの框Ｂに上端を固定する框側金具３２と、踏み台１１の踏み板１２に固定する踏み台側金具３３の組み合わせからなり、框側金具３２は、図６のように、上下に長い帯板状の金属板を用い、この金属板に、上端が横長部分となって下方に延びるＴ字形の孔３４が設けられ、金属板は上部の途中が面方向に一段屈曲し、その上端に框へ固定する釘の打ち込み孔３５を設けた構造になっている。
【００２３】
また、踏み台側金具３３は、踏み板１２の後端面に釘の打ち込みで固定する固定板３６の上端に、後方に向けて屈曲する平面Ｔ字形の係止片３７を設けて形成され、この係止片３７をＴ字形の孔３４に上端の横長部分から挿入して下方にスライドさせることにより、踏み台側金具３３と框側金具３２は前後に抜け止め状に結合され、図２のように、この固定金具３１により、踏み台１１は玄関Ａの框Ｂに固定化され、踏み台１１に偏った体重をかけても倒れることがなく、踏み台１１を用いた玄関と土間の間の昇り降りの安全性を向上させることができる。
【００２４】
上記固定金具３１は、框側金具３２に対して踏み台側金具３３が上下に移動可能となるので、踏み台１１の高さ調整に支障を与えないと共に、踏み台１１を持ち上げて係止片３７を孔３４の上端横長部分から抜き取れば、踏み台１１を玄関Ａの框Ｂから取り外すことができる。
【００２５】
この発明の踏み台１１は、上記のような構成であり、図２のように、この踏み台１１を玄関Ａの昇り口における土間に、その固定前面パネル１４と可動前面パネル１５が前面側に位置するよう設置し、一対の固定金具３１を用いて玄関Ａの框Ｂに踏み板１２を固定すればよく、踏み板１２は四隅が各支持脚１３で水平に支持され、踏み板１２の前面側下部は、固定前面パネル１４と可動前面パネル１５で閉鎖され、踏み板１２の下に足を突っ込むようなことがないと共に、正面からの見栄えがよくなり、また、踏み板１２で玄関Ａと土間の段差を階段状とし、段差の途中に位置する踏み板１２を介して玄関Ａの昇り降りを行うことにより、昇り降りの動作が体力を要することなく安全に行えるようにすることができる。
【００２６】
このような踏み台１１において、踏み板１２の高さを調節するには、各支持脚１３の下端に位置する接地キャップ２６を高さ調整ねじ２３の頭部２５から取り外し、高さ調整ねじ２３の頭部２５に設けた工具係合溝にドライバーを係合させて高さ調整ねじ２３を回転させることによって行う。
【００２７】
高さ調整ねじ２３をねじ孔２２に対してねじ込む方向に回転させると、下部脚体２１が上部脚体２０の縦孔１９内に進入し、各支持脚１３は短くなることで踏み板１２の高さを低く調節することができ、また、高さ調整ねじ２３をねじ孔２２に対して抜ける方向に回転させると、各支持脚１３は長くなることで踏み板１２の高さを高く調節することができ、このように、高さ調整ねじ２３の回動操作により、踏み板１２の高さを上下に無段階に調整することができ、調整後は接地キャップ２６を高さ調整ねじ２３の頭部２５に取り付ければよい。
【００２８】
上記のような高さの調節において、後部支持脚１３ｂはそれぞれ独自に調整操作を行えばよく、これに対して前部支持脚１３ａは、下部脚体２１が可動前面パネル１５で結合されているので、両前部支持脚１３ａは高さ調整ねじ２３を同時に回動させることで調整操作を行うようにする。
【００２９】
上記のように、高さ調整ねじ２３の回転による下部脚体２１の上下動により、踏み板１２の高さを調節するので、踏み板１２の高さを玄関Ａの条件等に合わせて無段階に調整することができる。
【００３０】
両前部支持脚１３ａの調整時に、下部脚体２１と可動前面パネル１５は一体に上下動することになり、調整後において、可動前面パネル１５は固定前面パネル１４との重なり状態が確保されているので、踏み板１２の前面側下部は閉鎖されている。
【００３１】
また、土間に設置した踏み台１１は、上下に位置が変化可能な一対の固定金具３１で玄関Ａの框Ｂに固定されているので、踏み台１１を持ち上げて係止片３７を孔３４の横長部分から抜き取れば、踏み台１１を玄関Ａの框Ｂから取り外すことができ、踏み台１１の高さ調整作業に支障を与えないと共に、框Ｂから取り外せば土間を掃除するような場合に邪魔にならないようにすることができる。
【００３２】
上記のような踏み台１１において、踏み板の下面四隅に設けた各支持脚を、踏み板の下面に固定した筒状の上部脚体と、上記上部脚体内に納まることができ、この上部脚体の下端部から出没自在となる下部脚体と、上記下部脚体を貫通し、上部脚体側に設けたねじ孔に螺合した高さ調整ねじとで無段階の高さ調節可能に形成すれば、踏み板の高さ調整範囲を大きく確保することで、無段階の高さ調節により天板を必要な高さに簡単にセットすることができ、しかも、高さ調整ねじを回動させるだけでよいので、調整作業が簡単容易に行えることになる。
【００３３】
また、踏み板の前部側で両側の前部支持脚の間に、上部脚体間に張設した固定前面パネルと、下部脚体間に張設され、固定前面パネルの背面側でこの下部脚体と一体に上下動する可動前面パネルを設けると、高さ調整を行っても常に足が天板の下部に入ることのないようにでき、安全性と前面からの見栄えを向上させることができる。
【図面の簡単な説明】
【００３４】
【図１】この発明に係る固定金具を使用する踏み台の下から見た斜視図
【図２】上記踏み台の使用状態を示す斜視図
【図３】（Ａ）は踏み台の前部脚体を最も長く調整した状態の縦断正面図、（Ｂ）は前部脚体を最も短く調整した状態の縦断正面図、（Ｃ）は（Ｂ）の矢印ｃ−ｃの横断平面図
【図４】前部脚体を最も長く調整した状態の縦断側面図
【図５】（Ａ）は後部脚体を最も長く調整した状態の縦断正面図、（Ｂ）は後部脚体を最も短く調整した状態の縦断正面図
【図６】踏み台を玄関の框に固定する固定金具の分解斜視図
【図７】従来の踏み台とその高さ調整機構を示す斜視図
【符号の説明】
【００３５】
１１    踏み台
１２    踏み板
１３    支持脚
１３ａ  前部支持脚
１３ｂ  後部支持脚
１４    固定前面パネル
１５    可動前面パネル
１６    縁板
１７    補強ブラケット
１８    滑り止め用の溝
１９    縦孔
２０    上部脚体
２１    下部脚体
２２    ねじ孔
２３    高さ調整ねじ
２４    埋め込みねじボス
２５    頭部
２６    接地キャップ
２７    切れ目
３１    固定金具
３２    框側金具
３３    踏み台側金具
３４    孔
３５    釘の打ち込み孔
３６    固定板
３７    係止片
【図１】
2005220740.tif 000003
【図２】
2005220740.tif 000004
【図３】
2005220740.tif 000005
【図４】
2005220740.tif 000006
【図５】
2005220740.tif 000007
【図６】
2005220740.tif 000008
【図７】
2005220740.tif 000009